(57)【要約】  前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のために、ソース無線接続ノードからターゲット無線接続ノードにユーザ装置のハンドオーバーを支援する方法は、前記ソース無線接続ノードで、ハンドオーバー後、前記ターゲット無線接続ノードと通信のための主コンポネントキャリアとして構成されるように第１キャリア周波数を選択する段階と、前記ターゲット無線接続ノードで、ハンドオーバー後、前記ターゲット無線接続ノードと通信のために副コンポネントキャリアとして構成されるように第２キャリア周波数を選択する段階とを含む。
2013526794.tif 000002
【特許請求の範囲】
【請求項１】
セル及びキャリア周波数がコンポネントキャリアとして構成されることができ、ユーザ装置とソース無線接続ノードとの間に通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のために、ソース無線接続ノードからターゲット無線接続ノードにユーザ装置のハンドオーバーを支援する方法であって、
前記ソース無線接続ノードで、ハンドオーバー後、前記ターゲット無線接続ノードと通信のための主コンポネントキャリアとして構成されるように第１キャリア周波数を選択する段階と；
前記ターゲット無線接続ノードで、ハンドオーバー後、前記ターゲット無線接続ノードと通信のために副コンポネントキャリアとして構成されるように第２キャリア周波数を選択する段階と；
を含むユーザ装置のハンドオーバーを支援する方法。
【請求項２】
前記ソース無線接続ノードで、ハンドオーバー後、前記ターゲット無線接続ノードと通信のために前記主コンポネントキャリアとしての構成のためのセルを選択する段階；
を含むことを特徴とする請求項１に記載のユーザ装置のハンドオーバーを支援する方法。
【請求項３】
前記ソース無線接続ノードで、ハンドオーバー後、前記ターゲット無線接続ノードと通信のための副コンポネントキャリアとしての構成のためのセルを選択する段階；
を含むことを特徴とする請求項１または２に記載のユーザ装置のハンドオーバーを支援する方法。
【請求項４】
前記選択されたセルと関連した前記ターゲット無線接続ノードに前記ソース無線接続ノードから測定情報を提供する段階；
を含むことを特徴とする請求項３に記載のユーザ装置のハンドオーバーを支援する方法。
【請求項５】
前記選択された副コンポネントキャリアとして構成されるキャリア周波数と関連した前記ターゲット無線接続ノードに前記ソース無線接続ノードから測定情報を提供する段階；
を含むことを特徴とする請求項１〜４のいずれかに記載のユーザ装置のハンドオーバーを支援する方法。
【請求項６】
前記測定情報は、情報のアイテムのリストを含み、各アイテムは、セル及びキャリア周波数の組合と関連していて、
前記方法は、
情報の各アイテムに対して信号測定パラメータを決定する段階と；
順番に前記リストの前記アイテムを整列する段階と；
を含み、
前記順番は、各アイテムの前記信号測定パラメータによることを特徴とする請求項４または５に記載のユーザ装置のハンドオーバーを支援する方法。
【請求項７】
前記ターゲット無線接続ノードで、ハンドオーバー後、前記副コンポネントキャリアとしての構成のための前記ターゲット無線接続ノードと通信のためのセルを選択する段階；
を含むことを特徴とする請求項１に記載のユーザ装置のハンドオーバーを支援する方法。
【請求項８】
前記第２キャリア周波数のセルまたはセルと関連した前記ターゲット無線接続ノードに前記ソース無線接続ノードから測定情報を提供する段階；
を含むことを特徴とする請求項７に記載のユーザ装置のハンドオーバーを支援する方法。
【請求項９】
複数のキャリア周波数を有する無線接続ネットワークで使用のためのユーザ装置から測定を報告する方法において、
指示子を含む前記ユーザ装置で第１メッセージを受信する段階であって、前記指示子は、測定報告が前記無線接続ネットワークによって要求される指示を含む、第１メッセージを受信する段階と；
第１キャリア周波数と関連した測定結果によって前記ユーザ装置でトリガーを生成する段階と；
前記トリガー及び前記第１メッセージを受信する段階によって、前記測定報告を伝達する無線接続ネットワークに前記ユーザ装置から第２メッセージを伝送する段階と；
を含み、
前記測定報告は、前記第１キャリア周波数以外にキャリア周波数に対して少なくとも関連していることを特徴とする測定を報告する方法。
【請求項１０】
前記指示子は、
前記測定報告が前記第１キャリア周波数以外のキャリア周波数に少なくとも関連するように要求されることを指示することを特徴とする請求項９に記載の測定を報告する方法。
【請求項１１】
前記測定報告は、
前記ユーザ装置が測定するように構成されるキャリア周波数の測定を含むことを特徴とする請求項９または１０に記載の測定を報告する方法。
【請求項１２】
前記測定報告は、
ベストセルが識別されないと判断される１つ以上のキャリア周波数を除外することを特徴とする請求項９〜１１のいずれかに記載の測定を報告する方法。
【請求項１３】
前記測定報告は、
ベストセルが識別されないと判断される１つ以上のキャリア周波数を除外することを特徴とする請求項９〜１１のいずれかに記載の測定を報告する方法。
【請求項１４】
前記除外は、
信号が少なくとも隣合うセルで測定されるか否かに基づくことを特徴とする請求項１２または１３に記載の測定を報告する方法。
【請求項１５】
前記測定報告は、
信号がただサービングセルから測定される１つ以上のキャリア周波数を除外することを特徴とする請求項１２〜１４のいずれかに記載の測定を報告する方法。
【請求項１６】
前記測定報告は、
前記ユーザ装置が測定するように構成されるすべてのキャリア周波数の測定を含むことを特徴とする請求項９〜１１のいずれかに記載の測定を報告する方法。
【請求項１７】
前記ユーザ装置で、前記測定報告に含まれる各キャリア周波数のために選択されたセルを決定する段階と；
前記測定報告に各選択されたセルを含む段階と；
を含むことを特徴とする請求項９〜１６のいずれかに記載の測定を報告する方法。
【請求項１８】
各選択されたセルは、
各キャリア周波数に対してベストセルであることを特徴とする請求項１７に記載の測定を報告する方法。
【請求項１９】
前記ユーザ装置で、決定された測定量の測定に基づいて各キャリア周波数に対して選択されたセルを決定する段階；
を含み、
前記決定された測定量は、１つ以上の測定量が各キャリア周波数に対して前記ユーザ装置として構成されれば、受信された信号パワーであることを特徴とする請求項１７または１８に記載の測定を報告する方法。
【請求項２０】
前記ユーザ装置で、前記決定された測定量の測定に基づくキャリア周波数に対して複数の選択されたセルを決定する段階；
をさらに含み、
前記複数の選択されたセルは、前記決定された測定量の測定から誘導される順番に前記測定報告に含まれることを特徴とする請求項１９に記載の測定を報告する方法。
【請求項２１】
前記指示子は、
前記ユーザ装置が前記測定報告の測定を含むように要求されるキャリア周波数の指示を含むことを特徴とする請求項９〜２０のいずれかに記載の測定を報告する方法。
【請求項２２】
前記指示子は、セルの数を含み、
前記ユーザ装置は、選択されたセルと関連した前記測定報告で測定を含むように要求され、
各キャリア周波数のための前記選択されたセルの数は、前記セルの数より小さいことを特徴とする請求項９〜２１のいずれかに記載の測定を報告する方法。
【請求項２３】
前記第１キャリア周波数は、
前記ユーザ装置と前記無線接続ネットワークとの間の通信のために使用されるように構成されないことを特徴とする請求項９〜２２のいずれかに記載の測定を報告する方法。
【請求項２４】
前記測定報告が、第２量ではなく、第１量の測定を含むように前記ユーザ装置を構成する段階；
を含むことを特徴とする請求項９〜２３のいずれかに記載の測定を報告する方法。
【請求項２５】
前記測定報告は、第１量の測定を含むかまたは第２量の測定を含むか否かを決定するために前記ユーザ装置の存在する構成を利用する段階；
を含むことを特徴とする請求項９〜２３のいずれかに記載の測定を報告する方法。
【請求項２６】
前記指示子は、前記無線接続ネットワークによって要求される測定量を指示し、
前記無線接続ネットワークに前記ユーザ装置から伝達される前記測定報告は、前記第１キャリア周波数と関連した第２量の測定ではなく、第１量の測定を含むことを特徴とする請求項９〜２３のいずれかに記載の測定を報告する方法。
【請求項２７】
前記第１量は、受信された信号パワーと関連していて、
前記第２量は、受信された信号量と関連していることを特徴とする請求項２４〜２６のいずれかに記載の測定を報告する方法。
【請求項２８】
前記第１量は、受信された信号量と関連していて、
前記第２量は、受信された信号パワーと関連していることを特徴とする請求項２４または２６に記載の測定を報告する方法。
【請求項２９】
臨界値の指示を含むユーザ装置でメッセージを受信する段階と；
前記臨界値を超過する測定結果による前記第２メッセージを伝送する段階と；
をさらに含むことを特徴とする請求項９〜２８のいずれかに記載の測定を報告する方法。
【請求項３０】
複数のキャリア周波数を有する無線接続ネットワークで使用のためのユーザ装置において、
指示子を含む第１メッセージを受信する段階であって、前記指示子は、測定報告が前記無線接続ネットワークによって要求される指示を含む、第１メッセージを受信する段階と；
第１キャリア周波数と関連した測定結果によってトリガーを生成する段階と；
前記トリガー及び前記第１メッセージを受信する段階によって、前記測定報告を伝達する無線接続ネットワークに第２メッセージを伝送する段階と；
を含んで処理されるようにし、
前記指示子によって指示される前記測定報告は、前記第１キャリア周波数以外にキャリア周波数に対して少なくとも関連することを特徴とする測定を報告する方法。
【請求項３１】
セル及びキャリア周波数がコンポネントキャリアとして構成されることができ、通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のために、ハンドオーバーを支援する方法であって、
第１測定識別子にリンクされる測定を行うために、ハンドオーバー前にユーザ装置を構成する段階であって、前記測定は、前記第１キャリア周波数の隣合う周波数で第２キャリア周波数の量を有する前記副コンポネントキャリアまたは前記主コンポネントキャリアとして構成される第１キャリア周波数で量を含む、構成する段階と；
ハンドオーバーによって、そしてハンドオーバー後、主コンポネントキャリアまたは副コンポネントキャリアとして構成される前記第２周波数によって、前記第１測定識別子とリンクされた測定を行うために前記ユーザ装置を再構成する段階であって、前記測定は、前記第１キャリア周波数で量を有する前記副コンポネントキャリアまたは前記主コンポネントキャリアとして構成される前記第２キャリア周波数で量を含む、再構成する段階と；
を含むハンドオーバーを支援する方法。
【請求項３２】
前記無線接続ネットワークから通信によって前記第１キャリア周波数以外のキャリア周波数で測定を行うための前記ユーザ装置を再構成する段階；
を含むことを特徴とする請求項３１に記載のハンドオーバーを支援する方法。
【請求項３３】
セル及びキャリア周波数がコンポネントキャリアとして構成されることができ、通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のためのユーザ装置であって、
第１測定識別子にリンクされる測定を行うために、ハンドオーバー前にユーザ装置を構成する段階であって、前記測定は、前記第１キャリア周波数の隣合う周波数で第２キャリア周波数の量を有する前記副コンポネントキャリアまたは前記主コンポネントキャリアとして構成される第１キャリア周波数で量を含む、構成する段階と；
ハンドオーバーによって、そしてハンドオーバー後、主コンポネントキャリアまたは副コンポネントキャリアとして構成される前記第２周波数によって、前記第１測定識別子とリンクされた測定を行うために前記ユーザ装置を再構成する段階であって、前記測定は、前記第１キャリア周波数で量を有する前記副コンポネントキャリアまたは前記主コンポネントキャリアとして構成される前記第２キャリア周波数で量を含む、再構成する段階と；
を含んで行うことを特徴とするユーザ装置。
【発明の詳細な説明】
【技術分野】
【０００１】
本発明は、一般的に無線ネットワークに関し、より詳細には、キャリア結合を採択した無線ネットワークのシステムでハンドオーバーを支援するための方法及び装置に関する。
【背景技術】
【０００２】
モバイルハンドセットのようなユーザ装置（ｕｓｅｒｅ  ｑｕｉｐｍｅｎｔ；ＵＥ）が基地局のネットワークに対する無線リンクまたはテレコミュニケーションネットワークに連結される他の無線接続ポイントを介して通信する無線ネットワークは、多数の世代の無線接続技術を通じて急激な発展を経験して来た。アナログ変調を使用するシステムの初期配置は、典型的にＧＥＲＡ（ＧＳＭ（登録商標）  Ｅｎｈａｎｃｅｄ  Ｄａｔａｒａｔｅｓ  ｆｏｒ
ＧＳＭ（登録商標）  Ｅｖｏｌｕｔｉｏｎ  Ｒａｄｉｏ  Ａｃｃｅｓｓ）無線接続技術を使用するＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）のような２世代（２Ｇ）デジタルシステムによって代替された。そして、このようなシステムは、ＵＴＲＡ（Ｕｎｉｖｅｒｓａｌ  Ｔｅｒｒｅｓｔｒｉａｌ  Ｒａｄｉｏ  Ａｃｃｅｓｓ）無線接続技術を使用するＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のような３世代（３Ｇ）デジタルシステムによって交替されるか、または増強された。３世代標準は、２世代システムによって提供されるものより大きいデータの処理量を提供する。このような傾向は、Ｅ−ＵＴＲＡ（Ｅｖｏｌｖｅｄ  ＵＴＲＡ）無線接続技術を使用するＬＴＥ（Ｌｏｎｇ  Ｔｅｒｍ  Ｅｖｏｌｕｔｉｏｎ）システムの３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって提案とともに持続された。ＬＴＥシステムの３ＧＰＰは、前述した標準に比べて大きい容量及び追加ピッチャーを潜在的に提供する。ＩＥＥＥ  ８０２．１６に対する無線接続技術を利用するワイマックス（ＷｉＭａｘ）システムも、以前標準より向上したものを提供する。
【発明の概要】
【発明が解決しようとする課題】
【０００３】
ＬＴＥ及びＷｉＭａｘのような現代無線ネットワークは、典型的にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のような変調フォーマットを採択し、これは、１つ以上のキャリアに適用され、基地局（３ＧＰＰ用語でｅＮＢ（Ｅ−ＵＴＲＡ  Ｎｅｔｗｏｒｋ  Ｎｏｄｅ  Ｂ））と１つ以上のユーザ装置との間のリンクに割り当てられる無線リソースを提供するために使用される。典型的に、ユーザ端末を基地局に連結するための無線リソースは、１つのキャリアから割り当てられる。その改善策として、さらに多い容量及び無線リソースのさらに柔軟な割り当てを提供するために、２以上のキャリアを結合することが提案される。また、キャリア結合は、ＴＥまたはＷｉＭａｘ以外の無線システムによって採択されることもできる。
方法及び装置は、キャリア結合を採択した無線システムでハンドオーバーを支援するように要求される。
【課題を解決するための手段】
【０００４】
本発明の第１態様によれば、セル及びキャリア周波数がコンポネントキャリアとして構成されることができ、ユーザ装置とソース無線接続ノードとの間に通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のために、ソース無線接続ノードからターゲット無線接続ノードにユーザ装置のハンドオーバーを支援する方法が提供される。前記方法は、次を含む。
【０００５】
前記ソース無線接続ノードで、ハンドオーバー後、前記ターゲット無線接続ノードと通信のための主コンポネントキャリアとして構成されるように第１キャリア周波数を選択する段階と；
前記ターゲット無線接続ノードで、ハンドオーバー後、前記ターゲット無線接続ノードと通信のために副コンポネントキャリアとして構成されるように第２キャリア周波数を選択する段階と；を含む。
ターゲット無線接続ノードで、ハンドオーバー後、ターゲット無線接続ノードと通信するための副コンポネントキャリアとして構成される二番目キャリア周波数を選択することの利得は、すなわちターゲット無線接続ノードが候補周波数及び／またはセルでリソース利用可能性と関連した情報を有することができるものである。
【０００６】
好ましくは、前記方法は、前記ソース無線接続ノードで、ハンドオーバー後、前記ターゲット無線接続ノードと通信のために前記主コンポネントキャリアとしての構成のためのセルを選択する段階を含む。ソース無線ノードで主コンポネントキャリア構成のためにセルを選択することの利得は、保安キー誘導に関して主コンポネントキャリアの役目が可能になるものである。
【０００７】
好ましくは、前記方法は、次を含む：
前記ソース無線接続ノードで、ハンドオーバー後、前記ターゲット無線接続ノードと通信のための副コンポネントキャリアとしての構成のためのセルを選択する段階を含む。これは、セルの付加選択で考慮されることを利得として有する。
【０００８】
好ましくは、前記方法は、次を含む：
前記選択されたセルと関連した前記ターゲット無線接続ノードに前記ソース無線接続ノードから測定情報を提供する段階を含む。
【０００９】
好ましくは、前記方法は、次を含む：
前記選択された副コンポネントキャリアとして構成されるキャリア周波数と関連した前記ターゲット無線接続ノードに前記ソース無線接続ノードから測定情報を提供する段階を含む。
【００１０】
好ましくは、前記測定情報は、情報のアイテムのリストを含み、各アイテムは、セル及びキャリア周波数の組合と関連していて、そして、前記方法は、次を含む：
情報の各アイテムに対して信号測定パラメータを決定する段階を含む。
順番に前記リストの前記アイテムを整列する段階を含む。
【００１１】
好ましくは、前記方法は、次を含む：
前記ターゲット無線接続ノードで、ハンドオーバー後、前記副コンポネントキャリアとしての構成のための前記ターゲット無線接続ノードと通信のためのセルを選択する段階；を含む。
【００１２】
好ましくは、前記方法は、次を含む：
前記第２キャリア周波数のセルまたはセルと関連した前記ターゲット無線接続ノードに前記ソース無線接続ノードから測定情報を提供する段階を含む。
【００１３】
本発明の第２態様によって複数のキャリア周波数を有する無線接続ネットワークで使用のためのユーザ装置から測定を報告する方法が提供される。前記方法は、次を含む：
指示子を含む前記ユーザ装置で第１メッセージを受信する段階であって、前記指示子は、測定報告が前記無線接続ネットワークによって要求される指示を含む、第１メッセージを受信する段階と；
第１キャリア周波数と関連した測定結果によって前記ユーザ装置でトリガーを生成する段階と；
前記トリガー及び前記第１メッセージを受信する段階であって、前記測定報告を伝達する無線接続ネットワークに前記ユーザ装置から第２メッセージを伝送する段階と；を含み、
前記測定報告は、前記第１キャリア周波数以外にキャリア周波数に対して少なくとも関連する。
【００１４】
本発明の実施例において、前記指示子は、前記測定報告が前記第１キャリア周波数以外のキャリア周波数に少なくとも関連するように要求されることを指示する。
【００１５】
これは、ユーザ装置が前記指示子の受信に対応するキャリア結合に適したモードで動作することができる利点を有する。
【００１６】
好ましくは、前記測定報告は、前記ユーザ装置が測定するように構成されるキャリア周波数の測定を含む。これは、追加測定が取られるように要求されないという利点がある。
【００１７】
本発明の実施例において、前記測定報告は、ベストセルが識別されないと判断される１つ以上のキャリア周波数を除外する。
【００１８】
これは、それらがベストセルの指示と関連しなくてもよいので、前記測定報告がハンドオーバープロセスの一部の態様によって要求されない測定を除去することができるという利点がある。
【００１９】
好ましくは、前記除外は、信号が少なくとも隣合うセルで測定されるか否かに基づく。これは、ベストセルを決定するために、サービングセルに対する隣合うセルの信号を測定する必要がある。
【００２０】
前記測定報告は、信号がただサービングセルから測定される１つ以上のキャリア周波数を除外する。信号がサービングセルから測定されるキャリア周波数は、ベストセルを決定するのに適していないこともある。
【００２１】
本発明の実施例において、前記測定報告は、前記ユーザ装置が測定するように構成されるすべてのキャリア周波数の測定を含む。これは、単純な指示子が、要求されるキャリア周波数をリストする（ｌｉｓｔｉｎｇ）シグナリングリソースを使用する必要がなく、ユーザ装置が測定するように構成されるすべてのキャリア周波数が測定報告に含まれなければならないことを指示することができるという利点を有する。
【００２２】
本発明の実施例において、前記方法は、前記ユーザ装置で、前記測定報告に含まれる各キャリア周波数のために選択されたセルを決定する段階と、前記測定報告に各選択されたセルを含む段階とを含む。
【００２３】
好ましくは、各選択されたセルは、各キャリア周波数に対してベストセルである。これは、ベストセルが、ハンドオーバーの支援において有用な、ネットワークに対して指示されることができるという利点を有する。
【００２４】
本発明の実施例において、前記方法は、前記ユーザ装置で、決定された測定量の測定に基づいて各キャリア周波数に対して選択されたセルを決定する段階を含み、前記決定された測定量は、１つ以上の測定量が各キャリア周波数に対して前記ユーザ装置として構成されれば、受信された信号パワーである。これは、どんな測定量（すなわち、典型的に信号量または信号強度の測定）がベストセルになることができる、選択されたセルを選択するように使用しなければならないかが明確になる利点がある。
【００２５】
本発明の実施例において、前記方法は、前記ユーザ装置で、前記決定された測定量の測定に基づくキャリア周波数に対して複数の選択されたセルを決定する段階をさらに含み、前記複数の選択されたセルは、前記決定された測定量の測定から誘導される順番に前記測定報告に含まれることを特徴とする。これは、順序は選択されたセルの相対的な価値をネットワークに示すことができる利点がある。例えば、ベストセルは、リスト上に一番目に示すことができる。この情報は、例えばハンドオーバー準備のために有用であることができる。
【００２６】
本発明の実施例において、前記指示子は、前記ユーザ装置が前記測定報告の測定を含むように要求されるキャリア周波数の指示を含む。これは、ネットワークがその要求事項によって測定報告のコンテンツを決定することができるという利点を有する。
【００２７】
本発明の実施例において、前記指示子は、セルの数を含み、前記ユーザ装置は、選択されたセルと関連した前記測定報告で測定を含むように要求され、各キャリア周波数のための前記選択されたセルの数は、前記セルの数より小さい。
【００２８】
本発明の実施例において、前記第１キャリア周波数は、前記ユーザ装置と前記無線接続ネットワークとの間の通信のために使用されるように構成されない。
【００２９】
本発明の実施例において、前記方法は、前記測定報告が第２量ではなく、第１量の測定を含むように、前記ユーザ装置を構成する段階を含む。これは、ユーザ装置が多重量を利用することができたら、測定報告に要求される量だけを含むように構成されることができるという利点を有する。
【００３０】
本発明の実施例において、前記方法は、前記測定報告が第１量の測定を含むか、または第２量の測定を含むか否かを決定するために、前記ユーザ装置の存在する構成を利用する段階を含む。これは、測定報告に含ませるための量を指示するためのシグナリングが要求されなくてもよいという利得を有する。
【００３１】
本発明の実施例において、前記指示子は、前記無線接続ネットワークによって要求される測定量を指示し、前記無線接続ネットワークに前記ユーザ装置から伝達される前記測定報告は、前記第１キャリア周波数と関連した第２量の測定ではなく、第１量の測定を含む。ネットワークが多重量が利用されることができたら、測定報告にネットワークによって要求される量だけを含まれなければならないことをユーザ装置に指示することができるという利点を有する。
【００３２】
本発明の実施例において、前記第１量は、受信された信号パワーと関連していて、前記第２量は、受信された信号量と関連している。
【００３３】
本発明の代案的な実施例において、前記第１量は、受信された信号量と関連していて、前記第２量は、受信された信号パワーと関連している。
【００３４】
本発明の実施例において、前記方法は、臨界値の指示を含むユーザ装置でメッセージを受信する段階と、前記臨界値を超過する測定結果による前記第２メッセージを伝送する段階とをさらに含む。
【００３５】
本発明の第３態様によって、複数のキャリア周波数を有する無線接続ネットワークで使用のためのユーザ装置が提供される。前記ユーザ装置は、次のような段階が処理されるようにする：
指示子を含む第１メッセージを受信する段階であって、前記指示子は、測定報告が前記無線接続ネットワークによって要求される指示を含む、 第１メッセージを受信する段階と；
第１キャリア周波数に関連した測定結果によってトリガーを生成する段階と；
前記トリガー及び前記第１メッセージを受信する段階によって、前記測定報告を伝達する無線接続ネットワークに第２メッセージを伝送する段階と；を含んで処理されるようにする。
【００３６】
前記指示子によって指示される前記測定報告は、前記第１キャリア周波数以外にキャリア周波数に対して少なくとも関連する。
【００３７】
本発明の第４態様によれば、セル及びキャリア周波数がコンポネントキャリアとして構成されることができ、通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のために、ハンドオーバーを支援する方法が提供されて、前記方法は、次を含む：
【００３８】
第１測定識別子にリンクされる測定を行うためにハンドオーバー前にユーザ装置を構成する段階であって、前記測定は、前記第１キャリア周波数の隣合う周波数で第２キャリア周波数の量を有する前記副コンポネントキャリアまたは前記主コンポネントキャリアとして構成される第１キャリア周波数で量を含むことを特徴とする、構成する段階と；
ハンドオーバーによって、そしてハンドオーバー後、主コンポネントキャリアまたは副コンポネントキャリアとして構成される前記第２周波数によって、
前記第１測定識別子とリンクされた測定を行うために前記ユーザ装置を再構成する段階であって、前記測定は、前記第１キャリア周波数で量を有する前記副コンポネントキャリアまたは前記主コンポネントキャリアとして構成される前記第２キャリア周波数で量を含む、再構成する段階と；を含む。これは、再構成がシグナリング要求事項を最小にし、自体的に行われることができるという利点を有する。
【００３９】
前記方法は、前記無線接続ネットワークから通信によって前記第１キャリア周波数以外のキャリア周波数で測定を行うための前記ユーザ装置を再構成する段階を含む。
【００４０】
本発明の第５態様によって、セル及びキャリア周波数がコンポネントキャリアとして構成されることができ、通信のために少なくとも２個のコンポネントキャリアが結合されることができ、前記結合されたコンポネントキャリアは、主コンポネントキャリア（ｐｒｉｍａｒｙ  ｃｏｍｐｏｎｅｎｔ  ｃａｒｒｉｅｒ）及び少なくとも１つの副コンポネントキャリア（ｓｅｃｏｎｄａｒｙ  ｃｏｍｐｏｎｅｎｔ  ｃａｒｒｉｅｒ）を含む、複数のキャリア周波数及び複数のセルを有する無線接続ネットワークで使用のためのユーザ装置が提供される。前記方法は、次を含む。
【００４１】
第１測定識別子にリンクされる測定を行うために、ハンドオーバー前に、ユーザ装置を構成する段階であって、前記測定は、前記第１キャリア周波数の隣合う周波数で第２キャリア周波数の量を有する前記副コンポネントキャリアまたは前記主コンポネントキャリアとして構成される第１キャリア周波数で量を含むことを特徴とする、構成する段階と；
ハンドオーバーによって、そしてハンドオーバー後に、主コンポネントキャリアまたは副コンポネントキャリアとして構成される前記第２周波数によって、
前記第１測定識別子とリンクされた測定を行うために前記ユーザ装置を再構成する段階であって、前記測定は、前記第１キャリア周波数で量を有する前記副コンポネントキャリアまたは前記主コンポネントキャリアとして構成される前記第２キャリア周波数で量を含む、再構成する段階と；を含む。
【００４２】
本発明の追加特徴及び利得は、例示的な方法だけによって提供される本発明の好ましい実施例の次の説明から明確になる。
【発明の効果】
【００４３】
ターゲット無線接続ノードで、ハンドオーバー後、ターゲット無線接続ノードと通信するための副コンポネントキャリアとして構成される二番目キャリア周波数を選択することの利得は、すなわちターゲット無線接続ノードが候補周波数及び／またはセルでリソース利用可能性と関連した情報を有することができるものである。
【図面の簡単な説明】
【００４４】
【図１】図１は、コンポネントキャリア結合を特徴とする無線接続ネットワークを示す構成図である。
【図２】図２は、ハンドオーバー中のシグナリング段階を示す構成図である。
【図３】図３は、測定客体の連結及び測定識別子に対する構成の報告を示す構成図である。
【図４】図４は、測定構成の例を示す構成図である。
【図５】図５は、自体的なアップデート後の測定構成の例を示す構成図である。
【図６】図６は、本発明の実施例による測定構成の例を示す構成図である。
【図７】図７は、本発明の実施例による自体的なアップデート後の測定構成の例を示す構成図である。
【図８】図８は、本発明の実施例によるシグナリングを示す構成図である。
【図９】図９は、本発明の実施例によるシグナリングを示す構成図である。
【図１０】図１０は、ユーザ装置の機能ブロックを示す構成図である。
【図１１】図１１は、無線接続ノードの機能ブロックを示す構成図である。
【発明を実施するための形態】
【００４５】
以下、Ｅ−ＵＴＲＡネットワークと関連したものであって、Ｅ−ＵＴＲＡ／ＬＴＥ無線接続技術を利用する通信を支援する無線接続ネットワークを含む無線ネットワークのコンテキストについて本発明の実施例が説明される。しかし、これは、ただ例示的なものであり、他の実施例は、ＩＥＥＥ  ８０２．１６ＷｉＭａｘシステムのような、他の無線接続技術を利用する無線ネットワークに含まれることができることを理解しなければならない；実施例は、特定無線接続技術の使用に限定されない。
【００４６】
（リリース８／９のＬＴＥ規格で）ＬＴＥシステムの初期配置、ユーザ装置は、典型的にただ、１つの周波数、すなわち１つのキャリア上で、１つのセルに連結される。キャリア結合（ｃａｒｒｉｅｒ  ａｇｇｒｅｇａｔｉｏｎ）の導入で、この状況は変更される。そして、ユーザ装置は、１つの主コンポネントキャリア（ＰＣＣ、Ｐｒｉｍａｒｙ  Ｃｏｍｐｏｎｅｎｔ  Ｃａｒｒｉｅｒ）及び１つ以上の副コンポネントキャリア（ＳＣＣ、Ｓｅｃｏｎｄａｒｙ  Ｃｏｍｐｏｎｅｎｔ  Ｃａｒｒｉｅｒ）に連結されることができる。他のコンポネントキャリアの適切な持続がイントラＬＴＥハンドオーバー（ｉｎｔｒａ−ＬＴＥ  ｈａｎｄｏｖｅｒ）、すなわち１つのＬＴＥセルから他のＬＴＥセルにハンドオーバーで処理されることが必要である。これは、主コンポネントキャリアが変更されなければならないか、もしそれなら、どんなノードがどんなコンポネントキャリアが新しい主コンポネントキャリアになるかを決定すべきか、副コンポネントキャリアで何を行うべきか、すなわちそれらが持続されるか解除されるかまたは他のコンポネントキャリアによって交替されるか、そしてそのようなキャリア結合ハンドオーバーでユーザ装置に構成される測定構成で何を行うべきかを決定することが好ましい。
【００４７】
図１は、コンポネントキャリア結合を特徴付ける（ｆｅａｔｕｒｉｎｇ）無線接続ネットワーク２を示す。２個の無線接続ノードが示され、典型的にＬＴＥシステムでｅＮＢ（ＥＵＴＲＡＮ  ｎｏｄｅ  Ｂ）であり、これは、これからユーザ装置４がハンドオーバーされ得るソース無線接続ノード６ａ、及びこれに無線接続ノードがハンドオーバーされ得るターゲット無線接続ノード６ｂである。ソースｅＮＢ  ６ａは、図示のような、関連したカバレージセクター８ａを有する。そしてターゲットｅＮＢ  ６ｂは、図示のような関連したカバレージセクター８ｂ及び８ｃを有する。各カバレージセクターで、周波数ｆ１、ｆ２またはｆ３が利用されることができる。セルは、特定周波数で使用されるカバレージセクターに対応することができる。
【００４８】
キャリア結合を採択したシステムに適用するとき、本発明の実施例の利得を説明するために、ハンドオーバー手続が、例えばＬＴＥリリース８／９システムのような、キャリア結合を採択しないシステムについてまず説明される。典型的に、従来のシステムにおいて、ネットワークは、連結されたモードにある（または、正確にＲＲＣ＿ＣＯＮＮＥＣＴＥＤ状態となる）ユーザ装置の移動性を制御する。すなわち、ネットワークは、ユーザ装置がどんなセル（サービングセルとも言う）と無線連結を維持しなければならないかを決定する。ネットワークは、典型的に１つのセル、サービングセルから他のセル、ターゲットセルにユーザ装置が移動するようにするハンドオーバー手続を適用する。ネットワークは、典型的に、ユーザ装置が無線品質（ｒａｄｉｏ  ｑｕａｌｉｔｙ）に基づいて典型的に連結しなければならないセル及び無線接続技術（ＲＡＴ、Ｒａｄｉｏ  Ａｃｃｅｓｓ  Ｔｅｃｈｎｏｌｏｇｙ）を決定する。しかし、これは、また、他のファクター、例えば、セル負荷、ユーザ装置性能、樹立された（樹立されている）ベアラ（ｂｅａｒｅｒ）の形式を考慮することができる。ハンドオーバー決定プロセスを支援するために、ネットワークは、通常的に、サービング周波数、（インタ−プリクォンシ測定（ｉｎｔｅｒ−ｆｒｅｑｕｅｎｃｙ  ｍｅａｓｕｒｅｍｅｎｔ、周波数間測定）で示される）他のＥ−ＵＴＲＡ周波数、（インタ−ＲＡＴ測定（ｉｎｔｅｒ−ＲＡＴ  ｍｅａｓｕｒｅｍｅｎｔ、無線接続技術間測定）で示される）他の無線接続技術によって使用される周波数に対する測定を行うようにユーザ装置を構成する。
【００４９】
ＬＴＥネットワークにおいて、１つのＬＴＥセルから他のＬＴＥセルにハンドオーバー（すなわち、イントラ−ＬＴＥ（ｉｎｔｒａ−ＬＴＥ）ハンドオーバー）する２個の形式が存在することができる。
【００５０】
Ｘ２ハンドオーバーは、高い性能と単純手続を有するが、ソースとターゲットｅＮＢとの間に直接インターフェースが要求される。代案的に、Ｓ１ハンドオーバーは、多少低い性能を提供することができ、さらに複雑であることができるが、ソースとターゲットｅＮＢとの間に直接インターフェースがない場合にも使用されることができる（例えば、Ｓ１リンクを通じて）。
【００５１】
以下、Ｘ２ハンドオーバーが、キャリア結合が導入すれば導出されることができる短所を示すために、キャリア結合を採択しないシステムについて、より詳細に説明される。類似の短所がＳ１ハンドオーバーの場合に提供されることもできる。したがって、本発明の実施例は、Ｘ２及びＳ１ハンドオーバーの両方に適用されることもできる。
【００５２】
全体Ｘ２ハンドオーバー手続は、図２を参照にして説明され、図２は、イントラ−ＭＭＥ／サービングゲートウェイハンドオーバーを示す。特に、ハンドオーバー手続の関連した段階は、次の通りである。
【００５３】
段階２で、ユーザ装置は、測定報告トリガー基準に適した隣合うセルを検出した測定報告（ｍｅａｓｕｒｅｍｅｎｔ  ｒｅｐｏｒｔ）をソースｅＮＢに伝送する。提供された測定情報及びソースｅＮＢで提供された他の認識内容（ｋｎｏｗｌｅｄｇｅ）に基づいて、ソースｅＮＢは、ハンドオーバー準備を開始すべきか否かを決定することができる。
【００５４】
段階４で、ソースｅＮＢがハンドオーバー準備を開始すれば、ソースｅＮＢは、ターゲットｅＮＢにハンドオーバー要請メッセージ（ＨＡＮＤＯＶＥＲ  ＲＥＱＵＥＳＴ  ｍｅｓｓａｇｅ）を伝送する。このメッセージは、ハンドオーバー準備情報メッセージ（Ｈａｎｄｏｖｅｒ  Ｐｒｅｐａｒａｔｉｏｎ  Ｉｎｆｏｒｍａｔｉｏｎ  ｍｅｓｓａｇｅ）内のハンドオーバー準備情報を伝達し、次を含む：ユーザ装置無線接続性能；現在無線接続（すなわち、接続階層（ＡＳ；ａｃｃｅｓｓｓ  ｔｒａｔｕｍ））構成；無線資源管理（ＲＲＭ；Ｒａｄｉｏ  Ｒｅｓｏｕｒｃｅ  Ｍａｎａｇｅｍｅｎｔ）構成；すなわち、ただ主にＲＲＭのために使用されるｅＮＢによって維持される情報。情報の使用は、ｅＮＢ具現による；無線接続（ＡＳ；Ｒａｄｉｏ  Ａｃｃｅｓｓ）コンテキスト、すなわち、ｅＮＢによって維持され、無線インターフェースにわたって交換されない情報、例えば、ＲＲＣ連結再設定を行うために要求される情報；及びターゲットセル識別子（ｔａｒｇｅｔ  ｃｅｌｌ  ｉｄｅｎｔｉｆｉｃａｔｉｏｎ）。
【００５５】
段階６で、ターゲットｅＮＢがハンドオーバーを受諾すれば、これは、無線リソースを予約し、ターゲットセルでユーザ装置によって使用されるための無線接続構成（ｒａｄｉｏ  ａｃｃｅｓｓ  ｃｏｎｆｉｇｕｒａｔｉｏｎ）の詳細事項を決定する。この構成は、ハンドオーバー要請受諾（ＨＡＮＤＯＶＥＲ  ＲＥＱＵＥＳＴ  ＡＣＫ）メッセージ内でソースｅＮＢにリターンされる。このメッセージは、ハンドオーバー命令（ＨａｎｄｏｖｅｒＣｏｍｍａｎｄ）メッセージ内の無線接続構成を伝達する。ハンドオーバー命令メッセージは、さらにＲＲＣ連結再構成（ＲＲＣＣｏｎｎｅｃｔｉｏｎＲｅｃｏｎｆｉｇｕｒａｔｉｏｎ）メッセージを伝達する。
【００５６】
Ｅ−ＵＴＲＡ内のハンドオーバーを行うために使用されるとき、このメッセージは、ターゲットセルで使用されるための無線接続構成を含むことができる。言い替えれば、メッセージは、デルタ（ｄｅｌｔａ）、すなわちソースセルで使用される構成と比較した差異によって表現される測定構成を含むことができる（すなわち、ターゲットｅＮＢは、測定構成で変化を指示する）。また、このメッセージは（セル識別子を使用して）ターゲットセル識別子を特定することができる移動性制御情報及び特徴（もし、ソースセルで使用されたものと異なる場合、すなわちデルタ（ｄｅｌｔａ）であって、周波数、帯域幅、及び追加スペクトル放射情報）、ターゲットセルで使用されるための新しい無線接続識別子、セル特定無線リソース構成（すべてのユーザ装置に共通）、ターゲットセルで初期接続に使用される専用リソース及びユーザ装置がターゲットセルに連結を試みる期間を制限するためのタイマーを含む。
【００５７】
前記メッセージは、また、ソースセルで使用される構成と比較した差異である、デルタとしても表現される、ユーザ装置特定無線リソース構成（すなわち、専用無線構成）、及び無線接続保安キーの誘導を誘発するパラメータ（すなわち、新しいベースキーが使用されるか否かを示す指示子及びすべてのハンドオーバーに対して増加されるカウンター）と一緒に、ソースセルで使用されるものと差異があれば、すなわちそのアルゴリズムである、保安構成を含むことができる。
【００５８】
７段階で、ソースがハンドオーバーを継続するとき、これは、実行フェーズ（ｅｘｅｃｕｔｉｏｎ  ｐｈａｓｅ）を開始することができる。これは、ＲＲＣ連結再構成（ＲＲＣＣｏｎｎｅｃｔｉｏｎＲｅｃｏｎｆｉｇｕｒａｔｉｏｎ）メッセージをユーザ装置に伝達するソースｅＮＢを含む。すなわち、これは、メッセージコンテンツを変更しない。ソースは、しかし、メッセージの暗号化及び無欠性保護を行うことができる。ユーザ装置は、ターゲットセルに対して連結を試みることができる（９、１０段階）。そして、ユーザ装置は、ＲＲＣ連結再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをリターンする。
【００５９】
ＬＴＥで従来の測定構成の説明及びハンドオーバーでこの構成のハンドオーバーは、図３を参照して提供される。従来、ＬＴＥ測定モデルは、３個のメインコンポネントとして構成される：第一に、測定識別子、これは、測定客体に対する測定報告構成を連結する；第二に、測定客体、これは、どんなＲＡＴ形式のセルのセットを特定することができる。（例えば、ＬＴＥ周波数上のモードセル、ＵＭＴＳ周波数上のセルのリスト、ＣＳＭセル／周波数のリストなど）；及び第三に、測定報告構成、これは、ユーザ装置が測定報告をトリガーしなければならないときとともにユーザ装置がこの報告に含ませなければならない情報を指示することができる。測定報告構成は、報告が個別イベント、例えば、隣合うセルが現在サービングセルより任意のオフセット以上良くなる、イベントＡ３が発生する場合にトリガーされなければならないことを指示することができる。または、これは、ユーザ装置が、すなわち、ベスト（ｂｅｓｔ）セル優先である、測定結果のために構成可能な数のセルを（最大構成可能な数の回数まで）定期的な間隔（ｒｅｇｕｌａｒ  ｉｎｔｅｒｖａｌｓ）で提供する場合、周期的な（ｐｅｒｉｏｄｉｃａｌ）報告が適用されることを指示することができる。
【００６０】
図４は、ユーザ装置で従来の測定構成の例を示す。これは、多重客体に対する１つの報告構成を連結すること、そして同一の客体に対して多重報告構成を連結することが可能であることを説明する。スマートな連結測定客体及び測定報告構成多重回数によって、シグナリングオーバーヘッドは、最小化されることができる。例えば、ただ既存の報告構成に対する既存の測定客体を連結する新しい測定識別子を定義することによって、新しい測定が定義される。
【００６１】
ハンドオーバで測定構成関連シグナリングを制限することができる従来のメカニズムは、“客体スワッピング（ｏｂｊｅｃｔ  ｓｗａｐｐｉｎｇ）”で示されることができる。客体スワッピングとともに、サービングセルの周波数が変更されれば、すなわちサービングセルが客体１の以前部分であり、ハンドオーバー後、新しいサービングセルが客体２の部分なら、ハンドオーバー命令で受信された測定構成アップデートを考慮して、ユーザ装置は、自体的に再連結する（ｒｅ−ｌｉｎｋ）。特に、ユーザ装置は、新しいサービング周波数に対して旧サービング周波数と以前に関連したすべての測定識別子を及び旧サービング周波数に対して新しいサービング周波数と以前に関連したすべての測定識別子と再連結することができる。
【００６２】
図５は、このプロセスの結果を示し、図５は、図２の測定モデルを示す。しかし、ユーザ装置の自体アップデート後、ハンドオーバー前、サービングセルは、測定客体１（周波数１）に対応すると仮定する。一方、ハンドオーバー後、サービングセルは、測定客体２（周波数２）に対応すると仮定する。この客体スワッピングとともに、（明示的なシグナリング無しに）大副分の重要な測定、すなわち新しいサービング周波数でサービング周波数に対するイントラ周波数移動性（ｉｎｔｒａ−ｆｒｅｑｕｅｎｃｙ  ｍｏｂｉｌｉｔｙ）のための測定が継続されることができることを留意しなければならない。
【００６３】
キャリア結合を採択しないシステムと関連した従来のハンドオーバープロセスが説明され、以下、本発明の実施例がキャリア結合を採択したシステムと関連して説明される。キャリア結合（ＣＡ；ｃａｒｒｉｅｒ  ａｇｇｒｅｇａｔｉｏｎ）とともに、ユーザ装置は、多重キャリアとして構成されることができる。ユーザ装置は、これら‘サービング周波数’それぞれにイントラ周波数測定（ｉｎｔｒａ−ｆｒｅｑｕｅｎｃｙ  ｍｅａｓｕｒｅｍｅｎｔｓ）で構成されることができる。追加に、ユーザ装置は、例えば、構成されたコンポネントキャリア（ＣＣ）／非構成されたコンポネントキャリアを有するサービング周波数／隣合う周波数を比較するインタ周波数測定で構成されることができる。
【００６４】
例えば、ユーザ装置は、次の構成を使用するように構成されることができる。周波数ｆ１は、主コンポネントキャリアとして使用され、周波数ｆ２は、副コンポネントキャリアとして使用される。ユーザ装置は、ｆ１及びｆ２の両方でイントラ周波数測定を行う。そしてユーザ装置は、すなわち、ｆ３上に隣合うセルとｆ１上のサービングセルを比較する、ｆ２でインタ周波数測定を行う。
【００６５】
本発明の実施例は、次のようにキャリア結合と関連することができる。２個の客体に対する連結（ｌｉｎｋ）は、サービング周波数及び隣合う周波数の両方を指示するように要求されることができる。サービング周波数を指示する他の方法が存在するので、図６に使用された点線は、このような特定構成を示す。図６は、本発明の実施例としてキャリア結合を有するＬＴＥ測定構成の例を示す。
【００６６】
キャリア結合なく、ユーザ装置は、ただ典型的に１つの周波数、すなわち１つのキャリアで１つのセルに連結される。キャリア結合の到着とともに、これは変更される。すなわち、ユーザ装置は、１つの主コンポネントキャリア（ＰＣＣ）及び１つ以上の副コンポネントキャリア（ＳＣＣ）と連結されることができる。
【００６７】
本発明の実施例に次のイシューが扱われることができる：主コンポネントキャリアが変更されるか否か、もしそうなら、どんなノードがどんなコンポネントキャリアが新しい主コンポネントキャリアになるかを決定すべきか；副コンポネントキャリアのもので何が行われるべきか、すなわちそれらは、継続されるか解除されるかまたは他のコンポネントキャリアによって交替されることができるか；そしてそのようなキャリア結合ハンドオーバー（ＣＡ−ｈａｎｄｏｖｅｒ）でユーザ装置で構成される測定構成で何が行われるべきか；
従来の非キャリア結合ハンドオーバーシーケンスは、キャリア結合を採択するシステムと比較していくつかの制限を有する。
【００６８】
第一に、ユーザ装置測定報告を考慮すれば、どんな測定報告（前述したハンドオーバーシーケンスの２段階）でも、ユーザ装置は、１つの客体／周波数／コンポネントキャリアでセルに関連した測定結果をただ報告することができる。これは、他のコンポネントキャリアを処理する方法を決定するために必要な情報をネットワークで提供することができない。
【００６９】
第二に、ハンドオーバー後に使用されるキャリア及びターゲットセルの決定を考慮すれば、ソースｅＮＢは、図６に示されたハンドオーバーシーケンスの４及び６段階でターゲットセルを決定することができ、ターゲットｅＮＢに対して追加測定情報を提供しなくてもよい。キャリア結合で、従来、どんなターゲットセルが決定されるかまたはどのようにターゲットセルが決定されるか、どんな新しい主コンポネントキャリアが決定されるかまたはどのように新しい主コンポネントキャリアが決定されるか、そしてどんな追加副コンポネントキャリアが決定されるかまたはどのように追加副コンポネントキャリアが決定されるか、定義することができない。
【００７０】
第三に、ユーザ装置による自体測定構成アップデートを考慮すれば、“客体スワッピング”は、単一−キャリア動作でソース及びターゲット周波数について特定されることができる。
【００７１】
本発明の実施例は、このような指示されたハンドオーバー関連問題を扱うことができる。本発明の実施例において、スワッピングは、多重キャリアを有する構成で発生することができる。一方、一部は、継続されることができ、一部は、追加されることができ、そして一部は、ハンドオーバー上で除去されることができる。
【００７２】
ユーザ装置測定報告を考慮すれば、本発明の実施例で、測定報告をトリガーするキャリア上のセルと関連した測定結果に加えて、追加ＬＴＥキャリア上で得られる測定結果も、測定報告に含まれるように構成されることができる。
【００７３】
第１実施例によれば、ＥＵＴＲＡＮは、ユーザ装置が現在測定するすべての周波数を含むことができるか否かの測定のリポティング構成内の単一オン／オフ（ｏｎ／ｏｆｆ）指示子によってユーザ装置を構成することができる。もし説明されれば、ユーザ装置は、そのセルのための利用可能な測定結果とともにベスト（ｂｅｓｔ、最適）セルを各考慮される周波数に対して含むことができる。もし多重の量が考慮されるセルに対して利用可能なら、ユーザ装置は、それらすべてを簡単に含ませることができる。もしユーザ装置が異なるトリガー量を有する、個別周波数に対して多重測定を行うように構成されれば、相変らず好ましくは、ユーザ装置がどんなセルがベストであるかを決定するためにどんな量を使用すべきかを決定することが必要である。第１実施例で、システムは、測定報告が追加の周波数を含むか否かを決定するために単純オン／オフ制御を採択する。最も単純なことは、例えば、装置規格で量の規格を含ませることによって、ユーザ装置の構成で（受信された信号パワーまたは受信された信号品質のような）測定量を固定するものであることができ、例えば、異なる量が考慮される周波数のために構成される場合のために、ユーザ装置は、ＲＳＲＰ（Ｒｅｆｅｒｅｎｃｅ  Ｓｉｇｎａｌ  Ｒｅｃｅｉｖｅｄ  Ｐｏｗｅｒ）量によってベストセルを決定する。これは、また、そのような場合、ユーザ装置は、ただＲＳＲＰ量に対する測定結果を報告するものに特定されることができる。すなわち、測定量は、受信された信号量に関連する第２量、量の両方のためというより、受信された信号パワーに関連する。第１実施例によれば、ユーザ装置は、ユーザ装置が追加測定を行う必要を回避するために、ユーザ装置が現在測定したすべての周波数に対する測定情報を提供することができる。したがって、追加報告が存在するが、行われる追加測定は、存在しなくてもよい。追加測定報告は、ユーザ装置が測定した各周波数上のベストセルを含むことができる。もし、ユーザ装置が、ユーザ装置がその周波数上の最も強いセルを決定するように許容しない周波数上で測定を行うとすれば、本発明の実施例で、考慮される周波数は、追加測定報告の一部ではないことがある。これは、例えば、“イベントＡ１形式”として知られた測定のような、ただサービングセルを考慮する測定に対して適用する。
【００７４】
ユーザ装置が周波数上で最も強いセルを決定するようにする測定は、次を含む。例えば：第一に、形式“Ａ３”の測定、これは、測定された量が同一の周波数でソースセル（すなわち、構成されたセル）のそれより良いオフセットを有する個別周波数上に隣合うセルが存在するか否かを決定するように使用されることができる；第二に、イベント“Ａ４”の測定、これは、そのコンポネントキャリアに対して構成された特定された臨界値以上の測定された量を有する個別周波数上に隣合うセルが存在するか否かを決定するように使用されることができる；そして第三に、イベント“Ａ５”形式の測定、これは、個別周波数上でサービングセル（すなわち、構成されたセル）の測定された量が第１臨界値以下であり、同時に測定された量が他の臨界値以上の同一の周波数上の隣合うセルが存在するか否かを決定するように使用されることができる。
【００７５】
トリガーは、ユーザ装置によって測定されるキャリア周波数と関連した測定結果によってユーザ装置で生成されることができる。トリガー及び指示子を含むネットワークからメッセージを受信することによって、測定報告を含むメッセージは、無線接続ネットワークにユーザ装置から伝送されることができる。測定報告は、トリガーが基づいているキャリア周波数以外のキャリア周波数に少なくとも関連することができる。すなわち、キャリア結合のために使用される可能性があるか、使用されるキャリア周波数は、測定報告に含まれることができる。しかし、報告をトリガーすることは、本発明の実施例でただキャリアのうち１つに基づくことができる。
【００７６】
指示子は、測定報告が第１キャリア周波数以外のキャリア周波数に少なくとも関連するように要求されることを示すことができる。すなわち、指示子は、キャリア結合に関連した測定が要求されることができることを示すことができる。測定報告は、典型的にユーザ装置が測定のために構成されるキャリア周波数の測定を含む。すなわち、典型的に測定報告は、ネットワークから測定報告に対する要請を受信する前に、ユーザ装置が測定するように構成される測定を利用する。測定報告は、ベストセルが識別されないものと決定された１つ以上のキャリア周波数を除外することができる。なぜなら、これは、そのような周波数上の情報は、ハンドオーバーの支援において有用ではないからである。除外は、信号が少なくとも隣合うセルで測定されるか否かに基づくことができる。なぜなら、測定がただサービングセル上で行われれば、これは、ベストセルを識別することが可能でないこともあるからである。したがって、測定報告は、信号がただサービングセルから測定される１つ以上のキャリア周波数を除外することができる。
【００７７】
一部の実施例において、測定報告は、ユーザ装置が測定するように構成されたすべてのキャリア周波数の測定を含む。なぜなら、これは、シグナリングの最小化を具現する単純スキームだからである。ユーザ装置は、前記測定報告に含まれる各キャリア周波数に対するベストセルのような、選択されたセルを決定することができる。この情報は、ハンドオーバーの支援に有用であることができる。各キャリア周波数に対する選択されたセルは、典型的に受信された信号パワーまたは受信された信号量である、決定された測定量の測定に基づいて決定されることができる。ユーザ装置で構成された量が使用されるが、１つ以上の測定量が各キャリア周波数のためにユーザ装置で構成されれば、受信された信号パワーに基づく量がデフォルト（ｄｅｆａｕｌｔ）として使用されることができる。これは、ユーザ装置にあらかじめ設定されることができる。
【００７８】
キャリア周波数のためにいくつかの選択されたセルは、決定された測定量の測定に基づいて決定されることができる。そして選択されたセルは、決定された測定量の測定から誘導される順番に測定報告に含まれることができる。例えば、ベストセルが初めて含まれることができる。この情報は、ハンドオーバーを支援するのに有用であることができる。
【００７９】
本発明の実施例において、指示子（ｉｎｄｉｃａｔｏｒ）は、ユーザ装置が測定報告で測定に含まれるように要求されるキャリア周波数の指示（ｉｎｄｉｃａｔｉｏｎ）を含むことができる。
【００８０】
指示子は、測定報告に含まれた選択されたセルの数の指示を含むことができる。ここで、各キャリア周波数のために選択されたセルの数は、セルの数であるか、または、セルの数より少ない数である。例えば、測定報告は、最大でキャリア周波数当たりベストセルの数を含むように要求されることができる。
【００８１】
測定されたキャリア周波数は、ユーザ装置と無線接続ネットワークとの間の通信のために使用されるように構成される必要はない。例えば、キャリア周波数は、通信のための未来使用に対する候補になることができる。
【００８２】
ユーザ装置は、前記測定報告は、第２量ではなく、第１量の測定を含むように構成されることができる。すなわち、測定は、例えば、受信されたパワーまたは受信された信号量を有することができる。これは、測定報告は、第１量の測定を含むべきか、または第２量の測定を含むべきか否かを決定するために、ユーザ装置の存在する構成を利用することに基づくことができる。代案的に、指示子は、無線接続ネットワークによって要求される測定量を指示することができる。
【００８３】
ユーザ装置は、臨界値の指示を含むメッセージを受信することができ、臨界値を超過する測定結果によって測定報告を含むメッセージを伝送することができる。
【００８４】
第２実施例によれば、ＥＵＴＲＡＮが追加測定報告を行うために、ユーザ装置に伝送されるメッセージで指示子によって、ユーザ装置を構成するとき、ユーザ装置は、ユーザ装置が周波数の最も強いセルを決定するようにする測定を行うようにユーザ装置が構成される各周波数のベストセルの測定情報を提供する。
【００８５】
本発明の実施例において、一部さらに強化された制御オプションは、例えば、次のように構成されることができる。各場合において、指示子は、ユーザ装置で要求される測定構成を指示するユーザ装置で受信されることができる。
【００８６】
第３実施例によれば、ＥＵＴＲＡＮは、ユーザ装置が測定するように構成されるどんな周波数が測定報告に含まれなければならないか、すなわちどんな周波数が要求される追加測定情報を提供することができるかを構成することができる。
【００８７】
第４実施例によれば、ＥＵＴＲＡＮは、周波数に対して測定された結果が多重セルに利用することができれば、ユーザ装置がＮベストセルに対して追加測定情報を提供することができる場合の、数字Ｎを構成することができる。
【００８８】
第５実施例によれば、ＥＵＲＴＡＮは、ユーザ装置が多重量が利用可能なら、追加測定情報の一部として考慮される量を提供することができる場合の、量を構成することができる。
【００８９】
第６実施例によれば、ＥＵＴＲＡＮは、ユーザ装置がただ測定された結果が臨界値を超過するセルに対する追加測定情報を提供することができる場合の、臨界値を構成することができる。
【００９０】
‘追加測定報告’は、イントラＬＴＥハンドオーバー以外の場合及びシナリオで有用であることができるという点に留意しなければならない。
【００９１】
ハンドオーバー後に使用されるキャリアの決定を考慮すれば、キャリア結合を採択しないシステムで、ターゲットセル周波数及び“Ｌ１”識別子は、典型的にソースｅＮＢがターゲットｅＮＢに対して準備する保安キーで入力される。ソースｅＮＢは、ターゲットセルを選択するので、したがって、ターゲットセルの識別子（特に、“Ｌ１”識別子）及び周波数を認知し、この情報は、ソースセルに対して自由に利用することができる。追加に、この情報は、また、ハンドオーバー後、ユーザ装置に対して利用することができる。したがって、ユーザ装置は、同一の保安誘導を行うことができる。
【００９２】
キャリア結合を採択したシステムで類似の誘導を可能にするために、保安キー誘導のために入力としてそのセルのＬ１識別子及び周波数を使用することができるようにソースｅＮＢは、ハンドオーバー後に構成される少なくとも１つのセルを認知することが好ましい。ユーザ装置は、保安キー誘導のために同一の入力として使用することができるように選択されるセルを認知することが好ましい。悪性（ｍａｌｉｃｉｏｕｓ）ソースｅＮＢがターゲットｅＮＢで使用されるキーのためのキー誘導を扱うことができるようにするためのものであることができるので、ハンドオーバー後に構成されないセルからＬ１識別子／周波数を使用することは好ましくない。
【００９３】
ハンドオーバーは、ユーザ装置が現在構成されるものより良いセルを報告することによって好ましくトリガーされる。これは、ソースｅＮＢがハンドオーバーが行われることが必要であると決定するようにする。キャリア結合を採択しないシステムで、ｅＮＢは、ユーザ装置に対して構成された周波数／コンポネントキャリアのうち１つ上のサービングセルより隣合うセルがよくなったことを反映する、単一測定に基づいてハンドオーバーを開始することができる。すなわち、ｅＮＢは、ハンドオーバーに対するレファレンスとして１つの周波数／コンポネントキャリアを利用することができる。さらに、基地局は、すべての周波数／コンポネントキャリアを考慮する追加情報を得るために、問題１に対する前述した論議で羅列された解決策を構成することができる。したがって、ユーザ装置測定報告に基づいて、ソースｅＮＢは、ハンドオーバー後に感知することができる主キャリアを決定するのに良い位置であり得る。すなわち、現在主コンポネントキャリア上で継続することができるか、他の１つに変更することができる。
【００９４】
本発明の実施例によれば、ソースｅＮＢは、ハンドオーバー後にどれが主コンポネントキャリアになるか、そしてどんなセルが主コンポネントキャリア上で使用されるかを決定することができる。ソースｅＮＢは、ハンドオーバー準備の一部としてターゲットセル及びターゲットｅＮＢに対して選択された主コンポネントキャリアを指示する。
【００９５】
ソースｅＮＢは、潜在的なハンドオーバーターゲットセル／周波数のリソース状況及び負荷の完全な概要を有しなくてもよい。これは、ソースｅＮＢのどんなキャリアがハンドオーバー後に副コンポネントキャリアとして構成されるかを決定するのに有利でない。
【００９６】
本発明の実施例によれば、ターゲットｅＮＢは、ハンドオーバー後、どんな周波数を副コンポネントキャリアとして構成すべきかを決定することができる。
【００９７】
本発明の実施例によれば、ソースｅＮＢは、ハンドオーバー準備中に、ターゲットｅＮＢに（前述した一番目〜六番目実施例で例示したように）ユーザ装置から得られる測定情報を伝達することができる。
【００９８】
どんなセルが副コンポネントキャリアに選択されるかに対して、実施例は、少なくとも２個のオプションを採択することができる：第一に、ソースは、ユーザ装置によって報告される測定情報に基づいてターゲットセルを選択することができる；そして第二に、ターゲットは、ソースｅＮＢによって伝達される測定情報を利用して、ターゲットセルを選択することができる。
【００９９】
一番目のオプションは、ソースｅＮＢがターゲットセルを考慮した測定情報を提供する必要があることを示すことができる。一方、二番目のオプションは、ソースｅＮＢが考慮される周波数上で多重セルの測定情報を提供する必要があることを示すことができる。後者は、また、ユーザ装置による測定報告に影響を及ぼす。すなわち、ユーザ装置は、また、二番目のオプションを収容するために多重セルに関して報告する必要がある。したがって、二番目のオプションは、追加シグナリング及び追加複雑度を含むことができる。しかし、これは、例えば、どんなセルを使用するかを決定するとき、アカウントとしてセル負荷を考慮することを可能にする。一番目及び二番目のオプションは、次のように具現されることができる。
【０１００】
本発明の実施例によれば、ソースｅＮＢは、主コンポネントキャリアの役目を割り当てられたもの以外のユーザ装置によって測定される周波数上でターゲットセルを選択する。すなわち、主コンポネントキャリアの役目を割り当てられない周波数に対して、ソースｅＮＢは、ターゲットセルを選択することができる。
【０１０１】
この場合において、ソースｅＮＢが、ターゲットセルのどんな周波数が副コンポネントキャリアとして構成されるかを決定するように支援するために、各周波数上にターゲットセルのための測定情報を提供することが好ましい。ソースは、ユーザ装置によって提供される測定された結果を提供するか、または、ソースは、例えば、ベストセル優先のように、ハンドオーバー準備情報に含まれるターゲット（周波数、セル組合）の順番による、測定情報を暗黙的に（ｉｍｐｌｉｃｉｔｌｙ）提供することができる。
【０１０２】
本発明の実施例において、ソースｅＮＢは、選択されたターゲットセルのために、ユーザ装置から得られる、測定情報を提供することができる。二番目のオプションによれば、ターゲットｅＮＢは、主コンポネントキャリアの役目が割り当てられたもの以外のユーザ装置によって測定された周波数上でターゲットセルを選択することができる。すなわち、ソースｅＮＢは、考慮される周波数上で１つ以上の潜在的なターゲットセルのために、ユーザ装置から得られる測定情報を提供することができる。
【０１０３】
一番目または二番目のオプションによれば、ｅＮＢは、すなわち、潜在的なターゲットのリストでエントリーを順番に整列することによって、測定情報を暗黙的に提供することができる。オプションｂの場合において、順番は、２レベル、すなわち、周波数のレベルで一番目、そして周波数上セルのレベルで次を含むことができる。
【０１０４】
本発明の実施例によれば、ソースｅＮＢは、すなわち、ハンドオーバー準備情報に含まれた羅列されたターゲット（周波数、セル組合）の順番によって、測定情報を暗黙的に提供することができる。例えば、ベストターゲットは、リストで一番目に現われる。
【０１０５】
一番目及び二番目のオプションは、相互間に同時に使用されることができることを留意しなければならない。すなわち、ソースは、一部の周波数上にセルを選択することができる。一方、ターゲットは、他の周波数上でセルを選択することができる。例えば、それらは、ユーザ装置によってどんな測定情報も提供されないものである。
【０１０６】
ユーザ装置による自体的な測定構成アップデートを考慮すれば、主コンポネントキャリアは、移動管理のための最も重要なコンポネントキャリアになることができる。これは、推定の観点から、典型的に主コンポネントキャリア上の無線連結が消えるとき、ユーザ装置は、再樹立（ｒｅ−ｅｓｔａｂｌｉｓｈｍｅｎｔ）を行うことができると見られる。同一のものが他のコンポネントキャリア（副コンポネントキャリア）に対して発生するとき、主コンポネントキャリア上に通信は相変らず持続することができるので、どんな果敢な動作も取られなくてもよい。主コンポネントキャリア上の連結を失うことを防止するために、もし、構成されたら、好ましくは、主コンポネントキャリア上のイントラ周波数測定は、ハンドオーバー後、直ちに継続される。この観点で、本発明の実施例によれば、ユーザ装置及びターゲットｅＮＢは、多重キャリアが構成されるとき、ハンドオーバー及び再樹立に対して自体的な客体スワッピングを好ましく行う。
【０１０７】
本発明の実施例によれば、ハンドオーバー及び再樹立に対して、イントラ周波数測定のために、ユーザ装置及びターゲットｅＮＢは、ハンドオーバー後、主コンポネントキャリア（すなわち、“新しい主コンポネントキャリア（ｎｅｗ  ｐｒｉｍａｒｙ  ｃｏｍｐｏｎｅｎｔ  ｃａｒｒｉｅｒ）”）に対応する測定客体に対してハンドオーバー前に、主コンポネントキャリア（すなわち、“旧主コンポネントキャリア（ｏｌｄ  ｐｒｉｍａｒｙ  ｃｏｍｐｏｎｅｎｔ  ｃａｒｒｉｅｒ）”）に対応する測定客体に連結される任意の測定識別子を好ましく自体的に再連結（ｒｅ−ｌｉｎｋ）する。
【０１０８】
本発明の上述した実施例の変形で、ハンドオーバー及び再樹立に対する、イントラ周波数測定のために、ユーザ装置及びターゲットｅＮＢは、旧主コンポネントキャリアに対応する測定客体に対して新しい主コンポネントキャリアに対応する客体に連結される任意の測定識別子を好ましく自体的に再連結する。
【０１０９】
インタ周波数測定のために、客体スワッピングが本発明の実施例で行われることができる。すなわち、隣り周波数がサービング周波数になる任意のコンポネントキャリアでインタ周波数測定のために、客体スワッピングが好ましく行われる。すなわち、測定は、以前サービング周波数に対して再連結される（ｒｅ−ｌｉｎｋｅｄ）。好ましくは、客体スワッピングは、考慮される周波数がスワッピングされれば適用されることができる。すなわち、構成されないコンポネントキャリアとサービング／構成されたコンポネントキャリア（‘旧サービング（ｏｌｄ  ｓｅｒｖｉｎｇ）’）を比較する測定が存在する。旧サービングは、構成されないコンポネントキャリアになる。そして、旧構成されないコンポネントキャリアは、サービング／構成されたコンポネントキャリアになる。
組合された実施例が次が典型的に適用される、図６に示された例によって示されることができる。
【０１１０】
ハンドオーバー前に、ユーザ装置は、次の構成を使用するように好ましく構成される：周波数ｆ１は、主コンポネントキャリアとして使用され、一方、周波数ｆ２は、副コンポネントキャリアとして使用される；そしてユーザ装置は、ｆ１及びｆ２の両方でイントラ周波数測定を行う；そして、ユーザ装置は、ｆ３ですなわち、ｆ３とｆ１上のサービングを比較する、イントラ周波数測定を行う。
【０１１１】
ハンドオーバーは、次の構成の結果に行われる：周波数ｆ３は、主コンポネントキャリアとして使用され、一方、周波数ｆ２は、副コンポネントキャリアとして構成されて維持される；ユーザ装置は、ｆ２及びｆ３の両方でイントラ周波数測定を行う；そしてユーザ装置は、すなわち、ｆ１上の隣りとｆ３のサービングを比較する、ｆ１でイントラ周波数測定を行う。
【０１１２】
この場合において、客体スワッピングは、次のように行われることができる：ｆ１（旧主コンポネントキャリア）でイントラ周波数測定は、実施例３．２及び３．３によって、ｆ３（新しい主コンポネントキャリア）に再連結される；そしてｆ３で隣りとｆ１でサービングを比較するインタ周波数測定は、再連結される。したがって、これは、ｆ１で隣りとｆ３でサービングを比較する。
【０１１３】
図７は、客体スワッピング後、キャリア結合を有する例示的なＬＴＥ測定構成を示す。
ユーザ装置によって行われる自体的なアップデートをさらに制限することは、利得になることができる。すなわち、他の副コンポネントキャリアまたは他のキャリアに関連した再連結を特定する必要はない。すなわち、ユーザ装置及びターゲットｅＮＢは、前述した実施例でカバーされたもの以外の自体的な再連結を好ましく行わない。ＥＵＴＲＡＮは、このような周波数／キャリアのためのどんな再構成を行うために暗黙的なシグナリングを好ましく適用する。
【０１１４】
図８は、測定構成及び連続された測定報告に対するメッセージ交換の実施例の概要を提供する。これは、図示の目的のためのものであり、他の実施例も可能であるという点に留意しなければならない。したがって、実施例は、図８に示された特定メッセージに制限されるものではない。
【０１１５】
図８を参照すれば、ソースｅＮＢは、ユーザ装置が１段階で、フィールドｍｅａｓＣｏｎｆｉｇを含むＲＲＣ連結再構成（ＲＲＣＣｏｎｎｅｃｔｉｏｎＲｅｃｏｎｆｉｇｕｒａｔｉｏｎ）メッセージを伝送することによって測定報告を行うように好ましく構成する。
【０１１６】
本発明の実施例は、次のように、ｒｅｐｏｒｔＣｏｎｆｉｇＴｏＡｄｄＭｏｄＬｉｓｔのエントリーの一部を含む。
【０１１７】
第一に、ｒｅｐｏｒｔＡｄｄｉｔｉｏｎａｌＦｒｅｑＩｎｆｏ：これは、第１または第２実施例のように、ユーザ装置がユーザ装置が測定するように構成されたすべての周波数の追加測定情報を提供するか否かを示すフィールド、または、どんな周波数がユーザ装置が測定するように構成されたものであるかを示すフィールドを有する。ユーザ装置は、第３実施例のように、追加測定情報を提供することができる。
【０１１８】
第二に、ｒｅｐｏｒｔＡｄｄｉｔｉｏｎａｌＭａｘＣｅｌｌｓ：もし含まれたら、ユーザ装置は、このフィールドによって指示される制限Ｎを有する、Ｎベストセルを報告することができる。もし含まれなかったら、ユーザ装置は、ただベストセルだけを報告することができる。
【０１１９】
第三に、ｒｅｐｏｒｔＡｄｄｉｔｉｏｎａｌＱｕａｎｔ：もし含まれ、もしユーザ装置は、１つ以上の量に利用することができる測定結果を有すれば、ユーザ装置は、ただ、このフィールドによって指示される量に対する結果を報告することができる。
【０１２０】
第四に、ｒｅｐｏｒｔＡｄｄｉｔｉｏｎａｌＴｈｒｅｓｈ：もし、含まれたら、ユーザ装置は、ただ、測定された結果がこのフィールドによって指示される臨界値を超過するセルに対する追加測定情報を提供することができる。
【０１２１】
図８の２段階で、追加測定報告が構成される測定に対するトリガー条件が満足されるとき、ユーザ装置は、追加情報を含む測定報告（Ｍｅａｓｕｒｅｍｅｎｔ  Ｒｅｐｏｒｔ）メッセージを伝送することができる。測定報告のフィールドは、ａｄｄｉｔｉｏｎａｌＭｅａｓＩｎｆｏを含むことができる：ユーザ装置は、最初にリストされたベスト周波数を有する、周波数のリストに対する測定結果を含むことができる。そして各周波数に対して、ユーザ装置は、最初にリストされたベスト周波数を有する、１つ以上のセルのリストのための測定結果を含むことができる。各セルに対して、ユーザ装置は、何も（すなわち、順番以外にどんな測定情報も必要でないとき）含むことができないか、または１つ以上の量に対する利用することができる測定された結果を含むことができる。
【０１２２】
図９は、本発明の実施例でハンドオーバー上でメッセージ交換の概要を提供する。図示のメッセージは、説明のための目的であることを留意しなければならない。また、本発明の実施例が図示のメッセージの使用に制限されるものではない。
【０１２３】
ソースｅＮＢは、１段階で、ハンドオーバー要請（ＨＡＮＤＯＶＥＲ  ＲＥＱＵＥＳＴ）メッセージをターゲットｅＮＢに伝送することによって、ハンドオーバー手続を好ましく開始する。メッセージは、ハンドオーバー準備情報（ＨａｎｄｏｖｅｒＰｒｅｐａｒａｔｉｏｎＩｎｆｏｒｍａｔｉｏｎ）メッセージを含む。これは、キャリア結合で構成されるユーザ装置のための多重コンポネントキャリアの継続された使用を支援するようにリリース１０で拡張される。
【０１２４】
ソースｅＮＢは、どんな周波数がこの周波数上のターゲットセルとともに主コンポネントキャリアとして構成されるかを好ましく決定する。
【０１２５】
他の周波数のために、ソースｅＮＢは、好ましくは、ターゲットセルを指示するか、または、周波数上のベストセルのための測定情報を提供する。測定結果は、周波数別に最初にリストされた（周波数上にベストセルによってランクされた（ｒａｎｋｅｄ））ベスト周波数が提供される。
【０１２６】
図９の１段階のフィールド“ｐｃｃ−Ｉｎｆｏ”は、どんな周波数がこの周波数上のターゲットセルとともに主コンポネントキャリアとして使用されるかを指示する。この指示は、ＥＵＴＲＡＮシグナリングとして使用されたもののように、存在するフィールド、例えば、ターゲットセル識別子（ＥＣＧＩ）によって提供されることができる。
【０１２７】
フィールド“ｏｔｈｅｒＣＣ−Ｉｎｆｏ”は、先立って参照された一番目のオプションによって、ターゲットセルを含むことができる。すなわち、これは、周波数の数を提供することができる。特に、これは、ターゲットセル識別子を提供することができ、周波数が、すなわちベストターゲット優先で、羅列された（ｌｉｓｔｅｄ）順番によって暗黙的になることができる、ターゲットセルに対する測定情報を提供することができる。
【０１２８】
代案的に、前述したような二番目のオプションによれば、フィールド“ｏｔｈｅｒＣＣ−ｉｎｆｏ”は、ターゲットセルを含まなくてもよい。これは、周波数の数を提供することができる。このフィールドは、周波数が、すなわちベストターゲット優先で、羅列された（ｌｉｓｔｅｄ）順番によって暗黙的になることができる、１つ以上の潜在的なターゲットセルに対する測定情報を提供することができる。
【０１２９】
ハンドオーバー要請（ＨＡＮＤＯＶＥＲ  ＲＥＱＵＥＳＴ）メッセージを受信すれば、ターゲットｅＮＢは、受諾制御（ａｄｍｉｓｓｉｏｎ  ｃｏｎｔｒｏｌ）を行い、ターゲットセルでリソースを予約し、そしてＲＲＣ連結再構成（ＲＲＣＣｏｎｎｅｃｔｉｏｎＲｅｃｏｎｆｉｇｕｒａｔｉｏｎ）メッセージを準備する。ターゲットｅＮＢは、図９の２段階で、ソースｅＮＢにリターンされる、ハンドオーバー要請受諾（ＨＡＮＤＯＶＥＲ  ＲＥＱＵＥＳＴ  ＡＣＫ）メッセージにＲＲＣ連結再構成（ＲＲＣＣｏｎｎｅｃｔｉｏｎＲｅｃｏｎｆｉｇｕｒａｔｉｏｎ）メッセージを含ませる。
【０１３０】
本発明の実施例によれば、ターゲットｅＮＢは、主コンポネントキャリアとしてソースによって指示される周波数（及び対応するセル）を構成する。ターゲットｅＮＢは、ソースｅＮＢによって提供される情報を考慮して、どんな周波数を副コンポネントキャリアとして構成すべきかを決定する。
【０１３１】
ターゲットｅＮＢは、ＲＲＣ連結再構成（ＲＲＣＣｏｎｎｅｃｔｉｏｎＲｅｃｏｎｆｉｇｕｒａｔｉｏｎ）メッセージを準備することができ、ＲＲＣ連結再構成メッセージをユーザ装置に伝達するソースｅＮＢで用意したＲＲＣ連結再構成メッセージを伝達することができる。ＲＲＣ連結再構成メッセージを受信すれば、ユーザ装置は、副コンポネントキャリアとともに主コンポネントキャリア上に指示されたターゲットセルにハンドオーバーを開始することができる。この手続の一部として、ユーザ装置は、ＲＲＣ連結再構成メッセージにターゲットｅＮＢによって含まれたフィールドによって再構成を行うことができる。好ましくは、ユーザ装置が主コンポネントキャリア上にランダム接続手続（ｒａｎｄｏｍ  ａｃｃｅｓｓ  ｐｒｏｃｅｄｕｒｅ）を成功的に完了すれば、ハンドオーバーが成功したものと見なされる。
【０１３２】
ターゲットセルとの連結を成功的に樹立すれば、ユーザ装置は、ＲＲＣ連結再構成完了（ＲＲＣＣｏｎｎｅｃｔｉｏｎＲｅｃｏｎｆｉｇｕｒａｔｉｏｎＣｏｍｐｌｅｔｅ）メッセージを好ましく伝送する。
【０１３３】
図１０は、ユーザ装置の上位レベルモデルを示す。次は、本発明の実施例による機能ブロックの動作を簡略に説明する。一般制御は、階層３プロトコル（ｌａｙｅｒ  ３  ｐｒｏｔｏｃｏｌ）、すなわち、ＲＲＣ（Ｒａｄｉｏ  Ｒｅｓｏｕｒｃｅ  Ｃｏｎｔｒｏｌ）メッセージの準備及び伝送とともに受信、処理を扱うことができる。測定ユニットは、ＥＵＴＲＡＮによって構成される測定を行うことができる。保安ユニットは、関連したキー誘導とともに、ＳＲＢ（Ｓｉｇｎａｌｌｉｎｇ  Ｒａｄｉｏ  Ｂｅａｒｅｒ）に対する無欠性保護、すべてのＲＢ（Ｒａｄｉｏ  Ｂｅａｒｅｒ）に対する暗号化を行うことができる。無線接続ユニットは、無線接続プロトコルの階層１及び２を扱うことができる。
【０１３４】
特に、機能ブロックは、本発明の実施例で次のように動作することができる。一般制御ユニットは、追加測定情報を報告するためにｒｅｐｏｒｔＣｏｎｆｉｇＴｏＡｄｄＭｏｄＬｉｓｔ内の新しいフィールドの受信を扱うことができ、測定ユニットを構成することができる。測定ユニットは、一般制御ユニットに報告される情報に関して影響を受けることができる。追加測定報告が構成される場合において、測定ユニットは、一般制御ユニットに提供される報告で追加周波数を考慮する測定情報を含むことができる。
【０１３５】
図１１は、ｅＮＢの上位レベルモデルを示す。次は、少なくとも本発明の実施例によって影響を及ぼす機能ブロックの動作を簡略に説明する：ユーザ装置制御は、階層３無線接続プロトコル、すなわちＲＲＣ（Ｒａｄｉｏ  Ｒｅｓｏｕｒｃｅ  Ｃｏｎｔｒｏｌ）メッセージの準備及び伝送とともに受信、処理を扱うことができる；ネットワークインターフェース制御は、ネットワークインターフェースに対する類似の機能を扱うことができる；測定制御は、ユーザ装置及びｅＮＢで測定機能の構成を扱うことができる；保安制御は、無線接続の保安機能、すなわち、無欠性保護及び暗号化の構成を扱うことができる；そして無線リソース制御は、無線接続プロトコルの階層１及び２の構成を扱うことができる。
【０１３６】
本発明の実施例は、次のようにｅＮＢの多数の機能ブロックに影響を及ぼすことができる。ユーザ装置制御ユニットは、測定制御ユニット及び移動性制御ユニットとの関連したインタラクション（ｉｎｔｅｒａｃｔｉｏｎ）とともに、測定報告（Ｍｅａｓｕｒｅｍｅｎｔ  Ｒｅｐｏｒｔ）メッセージ内の追加測定情報の受信及びｒｅｐｏｒｔＣｏｎｆｉｇＴｏＡｄｄＭｏｄＬｉｓｔ内の新しいフィールドの伝送を扱うことができる。ネットワークインターフェース制御は、移動性制御ユニット（例えば、ターゲット側：どんな副コンポネントキャリアが構成されるかを決定）及び測定制御ユニット（例えば、ターゲット側：客体スワッピング）との関連したインタラクションとともに、このようなフィールド（ターゲット側）の受信及びハンドオーバー準備情報（ＨａｎｄｏｖｅｒＰｒｅｐａｒａｔｉｏｎＩｎｆｏｒｍａｔｉｏｎ）メッセージ内の新しいフィールドの伝送を扱うことができる。移動性制御ユニットを考慮すれば、ソース側は、主コンポネントキャリアを決定し、考慮される周波数上のターゲットセルを選択することができる。さらに、ソースは、他のコンポネントキャリア（ターゲットセル、測定情報、できるだけ暗黙的に）を考慮する追加情報を提供する。ターゲット側は、どんな周波数を副コンポネントキャリアとして構成すべきか（そしてできるだけ、どんなセルをこれら周波数に使用すべきか）を決定する。ターゲット側は、また、ハンドオーバーの成功的な完了（主コンポネントキャリアが成功的に樹立）を検証する。測定制御ユニットを考慮すれば、ソース側は、いつユーザ装置が追加測定情報を提供するように構成すべきかを決定することができる。さらに、ターゲットｅＮＢは、測定構成のスワッピングを行う。
【０１３７】
本発明の実施例は、図９のメッセージ流れ図に示されたようなハンドオーバーに関連することができる。しかし、本発明の実施例は、また、再樹立（ｒｅ−ｅｓｔａｂｌｉｓｈｍｅｎｔ）を連結することに対して適用されることもできる。再樹立連結に先立って、ハンドオーバー準備は、ハンドオーバーに対するそれと類似している。すなわち、主コンポネントキャリア及び副コンポネントキャリアに関してソースからターゲットに提供される情報は、同一である。ユーザ装置は、すなわちソースｅＮＢによって主コンポネントキャリアとして選択されない周波数上のセルを含み、同一のターゲットｅＮＢ下のどんなセル上でも再樹立を開始することができる。しかし、これは、連結樹立のように、ターゲットは、ただ単一周波数上の無線通信を再樹立するものと仮定することができる。考慮される周波数は、主コンポネントキャリアとして見なされることができる。この場合において、他のコンポネントキャリアに対する測定及び無線リソース構成は、臨時に中断され、すべての関連した構成部分は、維持され、一番目の後続再構成メッセージでデルタの根拠として使用される。ハンドオーバーで行われたオブジェクトスワッピングする類似の測定は、また、再樹立でも行われる。これは、また、‘中断された’コンポネントキャリアに対するアップデートされた測定構成の結果を提供する。
【０１３８】
本発明の実施例は、１つ以上の次の利得を有することができる。第一に、ユーザ装置が例えば、特定の配置の場合に最適化された他のトリガー基準のように、どんな特定の事項を導入することなく、移動性シナリオの大きい多様性を支援するための一般手段を導入する、報告をトリガーする周波数を以外の測定情報を含むようにするオプション。追加測定報告は、ハンドオーバーに次に即時、多重／最も適切なコンポネントキャリアを使用することを継続するようにすることが可能である。強化された制御が、例えば、周波数の指示、セルの数、量を報告すること、最小臨界値のように、ユーザ装置によって提供される情報を追加に調整するか／最適化するように導入することができる。
【０１３９】
第二に、メカニズムは、既存のハンドオーバー及び保安原則を格納するように特定されることができる。ソースによって決定される、主コンポネントキャリアを（個別ネットワークノードに対応して、保安キー誘導に使用される入力を定義する）主周波数／セルとして見なす場合、副コンポネントキャリアは、追加無線リソースとして見なされ、ターゲットｅＮＢによって決定される。他のシグナリングオプションは、例えば、リスト内の順番によって測定情報を暗黙的にシグナリングするものにカバーされる。
【０１４０】
第三に、本発明の実施例は、キャリア結合をカバーするメカニズムを特定することができる。主要側面は、主コンポネントキャリアでイントラ周波数測定が持続される。すなわち、これら測定は、最も重要なものとして見なされる。なぜなら、考慮される周波数は、通信で必須役目を行うからである。すべてのコンポネントキャリアに対して、類似の客体スワッピングは、非キャリア結合システムに対して提案されることができる。これは、無線連結を維持するのにあたってあまり重要でないが、シグナリングオーバーヘッドを減少させることに役に立つことができる。
【０１４１】
本発明の実施例において、ソースｅＮＢ  ６ａは、各周波数でターゲットセルを選択することができ、どんな周波数が主コンポネントキャリアになるかを決定することができる。ターゲットｅＮＢ  ６ｂは、どんな周波数が副コンポネントキャリアとして構成されるかを決定することができる。ソースｅＮＢ  ６ａは、多重周波数に対する測定情報をターゲットｅＮＢ  ６ｂに提供することができる。このターゲットｅＮＢ  ６ｂは、どんな周波数が副コンポネントキャリアとして構成されるかを決定するとき、これを使用することができる。ネットワーク、すなわちＥＵＴＲＡＮは、報告、すなわち追加周波数結果の伝送がトリガーされることを以外に測定された周波数の測定結果を含むようにユーザ装置４を構成することができる。ユーザ装置４及びターゲットｅＮＢ  ６ｂは、最小シグナリングを有する主コンポネントキャリアに割り当てられた周波数上に測定の持続を容易にするために、測定客体の連結と関連した測定構成を変更することができる。すなわち、ユーザ装置は、他の客体の連結が変更されないとき（すなわちＥＵＲＴＡＮが暗黙的シグナリングを使用する。）、以前そして新しい主コンポネントキャリアの客体をスワッピングすることができる。上述したところは、ＥＵＴＲＡＮが適切なセットの主コンポネントキャリア及び副コンポネントキャリアでユーザ装置を構成するようにすることが可能である。これは、ハンドオーバー後、直ちに適用することができる。
【０１４２】
上述した実施例は、本発明の説明のための例として理解されなければならない。或る１つの実施例に関連して説明された任意の特徴は、単独で使用されるか、または、説明された他の特徴との組合で使用されることもでき、そして他の実施例の１つ以上の特徴との組合として使用されることができ、または、他の実施例の任意の組合になることもできる。さらに、前述しない同等なもの及び修正されたものは、また、添付の特許請求範囲に定義された本発明の範囲を脱することなく採択されることもできる。
【符号の説明】
【０１４３】
４  ユーザ装置
６ａ  ソースｅＮＢ
６ｂ  ターゲットｅＮＢ
１０  ＭＭＥ
１２  サービングゲートウェイ
１４  一般制御
１６  測定ユニット
１８  保安ユニット
２０  無線接続ユニット
２２  ユーザ装置制御
２４  移動性制御
２６  保安制御
２８  測定制御
３０  無線リソース制御
３２  ネットワークインターフェース制御
【図１】
2013526794.tif 000003
【図２】
2013526794.tif 000004
【図３】
2013526794.tif 000005
【図４】
2013526794.tif 000006
【図５】
2013526794.tif 000007
【図６】
2013526794.tif 000008
【図７】
2013526794.tif 000009
【図８】
2013526794.tif 000010
【図９】
2013526794.tif 000011
【図１０】
2013526794.tif 000012
【図１１】
2013526794.tif 000013
【国際調査報告】
2013526794.tif 000014
2013526794.tif 000015